(57)【特許請求の範囲】
【請求項１】
本体内に着脱自在に収納される鍋と、前記本体の上面開口部を覆うべく開閉自在に軸支された蓋と、前記蓋の内側に固定され前記蓋の下面を構成している外蓋カバーと、前記蓋に設けられた蒸気通路と、前記外蓋カバーの下面に着脱自在に配され放熱板を有した放熱板ユニットとを備え、前記蓋の蒸気通路と放熱板ユニットとの接続部は蒸気板パッキンでシールされ、前記放熱板ユニットは、前記外蓋カバーと前記放熱板との間に中空層を形成するとともに、前記外蓋カバーと前記放熱板との間の周縁部にシール部材を有してなる炊飯器。
【請求項２】
シール部材は、蓋閉時に鍋と放熱板ユニット外周をシールするための鍋パッキンと一体に形成されてなる請求項１記載の炊飯器。
【発明の詳細な説明】
【０００１】
【発明の属する技術分野】
本発明は、一般家庭、あるいは業務用に使用する炊飯器に関するものである。
【０００２】
【従来の技術】
近年の炊飯器では、お手入れ性を向上させるため蓋の放熱板ユニットを着脱可能として、炊飯器を使い終わると、汚れた放熱板ユニットを蓋から外して洗うことが出来る構成のものが多くなっている。
【０００３】
【発明が解決しようとする課題】
しかしながら、上述の炊飯器では、放熱板ユニットを着脱自在としているため、放熱板ユニットと蓋との間に隙間が生じ、この隙間を通して炊飯器本体と蓋との間から熱が炊飯器外部に逃げるため、特に保温時において、ご飯の保温温度を維持するために余分な加熱が必要であった。
【０００４】
本発明は、上記課題を解決するもので、放熱板ユニットと蓋との間を通して炊飯器本体と蓋の間から逃げる熱を抑え、少ない電力量でご飯の保温温度を維持することにある。
【０００５】
【課題を解決するための手段】
上記課題を解決するために、本発明は、本体内に着脱自在に収納される鍋と、前記本体の上面開口部を覆うべく開閉自在に軸支された蓋と、前記蓋の内側に固定され前記蓋の下面を構成している外蓋カバーと、前記蓋に設けられた蒸気通路と、前記外蓋カバーの下面に着脱自在に配され放熱板を有した放熱板ユニットとを備え、前記蓋の蒸気通路と放熱板ユニットとの接続部は蒸気板パッキンでシールされ、前記放熱板ユニットは、前記外蓋カバーと前記放熱板との間に中空層を形成するとともに、前記外蓋カバーと前記放熱板との間の周縁部にシール部材を有してなるものである。
【０００６】
【発明の実施の形態】
請求項１記載の発明によれば、本放熱板ユニットを着脱自在とした構成でも、鍋内より放熱板ユニットを通して逃げた熱により暖められた放熱板ユニット上の空気が対流により蓋と本体の間から逃げることがなくなるため、少ない電力量でご飯の保温温度を維持することができる。
【０００７】
請求項２記載の発明によれば、簡単な構成で、鍋と放熱板ユニットのシールと、放熱板ユニットと蓋下面のシールの両方を行うことができ、断熱効果を容易に向上させることができる。
【０００８】
【実施例】
（実施例１）
本発明の第１の実施例について、図１〜図２を用いて説明する。
【０００９】
図１〜図２において、本体１は、上面が開口し、この本体１の内部に鍋２の収納部である保護枠３が配設され、この保護枠３の外側に加熱手段である誘導コイル４が設けられている。
【００１０】
また、５は本体１の上面開口部を覆う蓋で、この蓋５は本体１の上部を構成する上枠６の上部に一体成形されたヒンジ部材７にピン８を介して回動自在に支持されている。９は外蓋カバーで、この外蓋カバー９は蓋５の内側に固定されている。この外蓋カバ−９の下面には放熱板ユニット１０が着脱自在に取付けられており、この放熱板ユニット１０には鍋パッキン１１が、前記蓋５を閉じた時に鍋２のフランジ１２に圧接して鍋２を密閉するように構成されている。そして、この放熱板ユニット１０と蓋５の下面を構成している外蓋カバー９の間にシール部材１３が設けられ、中空層１４を構成している。また、放熱板ユニット１０の上部には外蓋カバー９に支持されている蓋加熱手段である蓋誘導コイル１５が位置している。この蓋加熱コイル１５の電磁作用により放熱板ユニット１０が発熱することにより、炊飯時に上面から加熱してご飯全体を包み込むようにたき上げるとともに、保温時には上面からの加熱と下側の誘導コイル４の加熱により、ご飯の温度を均一に維持することができる。そして、シール部材１３により放熱板ユニット１０と外蓋カバー９の間に中空層１４を構成していることにより、鍋２内より放熱板ユニット１０を通して逃げた熱により暖められた放熱板ユニット１０上の空気が、対流により蓋５と本体１の間から逃げることがなくなるため、少ない電力量でご飯の保温温度を維持することができる。このシール部材１３を断熱性の高い独立気泡の発泡体等の材料で構成することにより、さらに断熱性を高め、消費電力量を減らすことが出来る。
【００１１】
１６は放熱板ユニット１０の温度を検知する蓋センサーで、放熱板ユニット１０側に圧接するように設けられ、この蓋センサー１６の検知により蓋誘導コイルの通電を制御する。また、１７は蓋５の蒸気通路１８に着脱自在に設けられた蒸気筒であり、この蒸気筒１７の下部には磁気性のあるフロート１９が炊飯時のおねばにより移動するように設けており、蓋５内のフロート１９に対向する位置にリードＳＷ２０を配している。おねばがフロート１９部分まで達するとフロート１９が移動し、リードＳＷ２０が検知し加熱手段である誘導コイル４への出力を制御し、おねばが外部に吹きこぼれるのを防止している。
【００１２】
また、放熱板ユニット１０の蒸気通路１８と対向する面には蒸気排出用の孔があいている。さらに、蓋５の蒸気通路１８と放熱板ユニット１０との接続部は蒸気板パッキン２１でシールされ鍋２内からの蒸気及び熱が放熱板ユニット１０と外蓋カバー９の間に漏れないように構成されている。
【００１３】
なお、本実施例では加熱手段として誘導加熱による方式を示したが、シーズヒーターやハロゲンヒーター等を用いても同じである。
【００１４】
（実施例２）
次に、第２の実施例について図３〜図４を用いて説明する。
【００１５】
図３〜図４において、本体１から外蓋カバー９までの構成は第１の実施例と同じである。そして、外蓋カバー９の下面に着脱自在に設けられた放熱板ユニット２２には鍋パッキン２３が、前記蓋５を閉じた時に鍋２のフランジ１２に圧接して鍋２を密閉するように構成されており、さらにこの鍋パッキン２３は放熱板ユニット２２と外蓋カバー９の間をもシールする構成とすることにより中空層２４を構成している。したがって、別のシール部材を必要とせず、簡単で安価な構成で、鍋２内より放熱板ユニット２２を通して逃げた熱により暖められた放熱板ユニット２２上の空気が対流により蓋５と本体１の間から逃げることを防ぎ、少ない電力量でご飯の保温温度を維持することができる。
【００１６】
また、蓋加熱コイル１５、蓋センサー１６から蒸気板パッキン２１までの構成も第１の実施例と同じ構成である。
【００１７】
（参考例１）
次に、第１の参考例について、図５〜図６を用いて説明する。
【００１８】
図５〜図６において、本体１から外蓋カバー９までの構成、および蓋加熱コイル１５、蓋センサー１６から蒸気板パッキン２１までの構成は第１の実施例と同じである。そして、この外蓋カバ−９の下面には放熱板ユニット１０が着脱自在に取付けられており、この放熱板ユニット１０には鍋パッキン１１が、前記蓋５を閉じた時に鍋２のフランジ１２に圧接して鍋２を密閉するように構成されている。また、外蓋カバー９には、前記蓋５を閉じた時に本体１の上部を構成している上枠６の外周部に圧接してシールするシール部材２５が設けられている。このシール部材２５により、蓋５と本体１の間の暖められた空気が対流により蓋５と本体１の隙間から外に逃げることがないため、断熱効果が向上し炊飯時及び保温時の電力量が少なくてすむ。
【００１９】
なお、本参考例においてシール部材２５は外蓋カバー９に設けたが、外蓋５又は本体１の上部を構成する上枠６に設けても効果は同じである。
【００２０】
【発明の効果】
以上のように、請求項１記載の発明によれば、蓋下面と前記放熱板ユニットとの間に中空層を形成するシール部材を配したことにより、放熱板ユニットを着脱自在とした構成でも、鍋内より放熱板ユニットを通して逃げた熱により暖められた放熱板ユニット上の空気が、対流により蓋と本体の間から逃げることがなくなるため、少ない電力量で、ご飯の保温温度を維持することができる。
【００２１】
また、請求項２記載の発明によれば、特に、シール部材を前記鍋パッキンと一体に構成しているため、簡単な構成で断熱効果を向上させ、少ない電力量でご飯の保温温度を維持することができる。
【図面の簡単な説明】
【図１】  本発明の第１の実施例の炊飯器の前後方向の断面図
【図２】  同、炊飯器の要部断面図
【図３】  本発明の第２の実施例の炊飯器の前後方向の断面図
【図４】  同、炊飯器の要部断面図
【図５】  本発明の第１の参考例の炊飯器の前後方向の断面図
【図６】  同、炊飯器の要部断面図
【符号の説明】
１          本体
２          鍋
５          蓋
１０、２２  放熱板ユニット
１３        シール部材
１４        中空層
【図１】
0004023038.tif 000002
【図２】
0004023038.tif 000003
【図３】
0004023038.tif 000004
【図４】
0004023038.tif 000005
【図５】
0004023038.tif 000006
【図６】
0004023038.tif 000007